(57)【特許請求の範囲】
【請求項１】
プリントベースの接続端子取付孔に設けた放熱金具と、この放熱金具と前記プリントベースに半田付けした多極雄型端子と、前記プリントベースに装着したリレーと、雌型多極端子に接続した１５アンペアまでの容量の負荷とを備えてなる端子接続装置。
【請求項２】
多極雄型端子のケースのプリントベース接触面に放熱金具のはとめ頭部が入る逃し部を備えた請求項１に記載の端子接続装置。
【発明の詳細な説明】
【０００１】
【発明の属する技術分野】
本発明は調理器などの制御装置に関し、特に端子接続装置の構成に関する。
【０００２】
【従来の技術】
従来、この種の端子接続装置としては、プリントベース上に装着したリレー、トライアック等の電流制御素子から８〜１５アンペア（以下、［Ａ」と略する）の容量範囲の負荷にヒータに電流を導くためのリード線接続端子は、単極接続端子を使用していた。
【０００３】
図５は、従来の単極端子接続部の断面図を示すものである。プリントベース１の接続端子取付孔２に単極雄型端子３の脚部４を挿入し、プリントベース１の銅箔５に多量の半田６を用いて山形に盛り上げるように半田付け接続していた。単極雄型端子３と対になった単極雌型端子７にはリード線８を接続しヒータなどの負荷へ電流を供給していた。また、単極雄型端子３をリレー９の外殻の上面に設け、これに負荷と接続した単極雌型端子７を挿入接続したものもあった。また、この種の端子接続装置の他の例としては、図示しないが、６Ａ以下の電流範囲では合成樹脂製ケースに固定した多極雄型端子の脚部をプリントベースの孔に挿入半田付け固定し、この多極雄型端子と対になったハウジングを有する多極雌型端子を用いて負荷と接続した端子接続装置もあった。
【０００４】
【発明が解決しようとする課題】
しかしながら、前記従来の構成では、端子を通る電流が８〜１５Ａ程度の大きさとなると端子の接触部での発熱が大きくなるので６Ａ以下で使っている多極端子を使うことかできず、許容電流の大きな単極端子を使用しなければならなかった。従ってプリントベースに取り付けた単極雄型端子に単極雌型端子を挿入する時には、単極雌型端子を持った指が端子間に入るだけの空間を単極雄型端子間に確保しなければならなかった。制御装置が複雑化して数多い接続端子をプリントベースに装着するものでは端子部が広い面積を占有した。また、単極雄型端子を上から押さえる力が働くと端子の半田付け部分にはプリントベースの銅箔をはがす方向に力が働くので、この力に耐えるため端子の脚部と銅箔の間には多量の半田で山盛り半田を行って強度補強を行っていた。又リレーの外殻上に設けた単極雄型端子を使用するものでも単極雌型端子とリード線を収納するためにリレーの上に高い空間を必要とした。また複数の単極端子を一個ずつ接続したので時間がかかり、誤接続の恐れもあるという課題を有していた。
【０００５】
本発明は、前記従来の課題を解決するもので、接続端子からの放熱を良くして、複数の端子を一体化した多極端子を家庭用電化製品で使用される１５Ａ迄の電流範囲で使用可能とし、端子部の占有面積の減少、端子誤挿入防止、端子挿入行為の迅速化ができる端子装置を提供することを課題とする。
【０００６】
【課題を解決するための手段】
前記従来の課題を解決するために、本発明の端子接続装置は、プリントベースの接続端子取付孔に放熱金具を設けたものである。この放熱金具により接続端子で発生する熱を効率よく放熱させ、接続端子の温度を下げ、多数の接続端子を一体化した小型の多極接続端子を使える様にしたものである。
【０００７】
【発明の実施の形態】
請求項１に記載の発明は、プリントベースの接続端子取付孔に設けた放熱金具と、この放熱金具と前記プリントベースに半田付けした多極雄型端子と、前記プリントベースに装着したリレーと、雌型多極端子に接続した１５Ａまでの容量の負荷とを備えてなる端子接続装置とすることにより、前記放熱金具は端子の脚部を通して伝わる接続端子の熱を速やかにプリントベースへ伝えて温度上昇を押さえ、小型の多極端子を使えるようになる。
【０００８】
請求項２に記載の発明は、請求項１記載の端子接続装置を雄型多極端子のケースのプリントベース接触面に放熱金具の頭部が入る逃し部を備えたものとすることにより、放熱金具のはとめ部をプリントベースにかしめた時のはとめ頭部の高さのばらつきで生じる端子とプリントベースとの密着度のばらつきが無くなり、接続端子の傾き、局部的な浮きを防止することができる。
【０００９】
【実施例】
以下本発明の実施例に付いて、図面を参照しながら説明する。
【００１０】
（実施例１）
図１〜３は、本発明の実施例１における端子接続装置の図を示すもので、図１は本発明の実施例１における端子接続装置の断面図、図２は本発明の実施例１における調理器の断面図、図３は本発明の実施例１における放熱金具の他の形状実施例の断面図である。家庭用調理器に実施した例に付いて説明する。尚、各図において、同一符号は同一部品である。
【００１１】
図１において、放熱金具１１は銅または銅合金製のはとめで、プリントベース１に設けた接続端子取付孔２にプリントベース１を強く挟んでかしめてある。多極雄型接続端子１２は合成樹脂製のケース１３に複数の雄型端子１４が組み込まれている。雄型端子１４の脚部１５は放熱金具１１の孔１６を通してプリントベース１の銅箔５側へ挿入してあるので、プリントベース１の銅箔５への半田付けに加えて、更に脚部１５と放熱金具１１の孔１６との隙間に入り込んで、その隙間全体で脚部１５と放熱金具１１とを強固に半田付けしている。多極雌型端子１７は雄型端子１４と対の形状をした雌型端子１８とケース１３に嵌合する形状のハウジング１９で構成される。
【００１２】
以上のように構成した端子接続装置において以下その作用を説明する。まず、雄型端子１４と雌型端子１８の接触面で発生した熱は、雄型端子１４の脚部１５を伝わり、脚部１５が放熱金具１１を貫通する孔１６に流れ込んで半田付けされている半田６を通って放熱金具１１に伝わり、極めて良い熱伝導状態でプリントベース１へ伝わる。銅箔５含むプリントベース１は放熱板の役割を果たして熱を周囲に良く放散する。
【００１３】
図２において、調理器２１には調理加熱庫２２と制御装置を搭載したプリントベース１がある。調理加熱庫２２を１５Ａ迄の電流で加熱するヒータなどの負荷２３はプリントベース１に装着したリレー９から多極雄型接続端子１２、と雌型多極端子１７とリード線８を経由して電気を供給される。
【００１４】
図３において、放熱金具１１にはプリントベース１へかしめたはとめ部３１に加えて半田付け面に突き出た円筒形の放熱部３２が設けてある。放熱部３２は放熱金具１１に伝わった熱を周囲空間へ直接放熱するので更に良好な放熱効果が得られる。放熱部３２の形状は平皿状、Ｌ字状、コ字状など設置場所の空間の形に適応した形とすることができる。
【００１５】
以上のように本発明では雄型接続端子１４の脚部１５が放熱金具１１を貫通する部分が良好な放熱経路となって熱放散するので接続端子の温度が下がり、複数の接続端子をユニット化した小型の多極接続端子１２、１７を使用できる。また脚部１５はプリントベース１に強固に取り付けた放熱金具１１との半田付け面積が顕著に増加しているので端子取り付け強度も強化されているのでプリントベース１の銅箔２側で半田盛りをする必要が無くなる。
【００１６】
（実施例２）
図４は本発明の実施例２における端子接続装置の断面図を示すものである。図４において、多極雄型端子１２のケース１３には、放熱金具１１のはとめ頭部４２の高さより高い逃げ部４１が設けてある。
【００１７】
以上のように構成された多極雄型端子１２をプリントベース１にかしめて固定された放熱金具１１に装着した時、ケース１３は放熱金具１１のはとめ頭部４２に当たることが無く、プリントベースに密着して装着できる。はとめ頭部４２は、プリントベースにかしめることにより、その高さが大きくばらつくので、はとめ頭部４２とケース１３がつかえる事により発生する多極雄型端子１２の傾きや、浮きを防止して、端子の迅速確実な接続作業ができる。
【００１８】
【発明の効果】
以上のように、本発明によれば、放熱金具の放熱効果により１５Ａ迄の比較的大きい電流領域でも、複数の接続端子をユニット化した小型の多極接続端子の使用が可能となり、プリントベース上の接続端子の占有面積の削減、誤接続防止、接続所要時間の短縮化、接続端子取り付け部の強度向上ができる。
【図面の簡単な説明】
【図１】本発明の実施例１における端子接続装置の断面図
【図２】本発明の実施例１における調理器の断面図
【図３】本発明の実施例１における放熱金具の他の形状実施例の断面図
【図４】本発明の実施例２における端子接続装置の断面図
【図５】従来の単極端子接続部の断面図
【符号の説明】
１  プリントベース
２  接続端子取付孔
９  リレー
１１  放熱金具
１２  多極雄型端子
１３  多極雌型端子
２３  負荷
４１  逃し部
４２  はとめ頭部
【図１】
0004320911.tif 000002
【図２】
0004320911.tif 000003
【図３】
0004320911.tif 000004
【図４】
0004320911.tif 000005
【図５】
0004320911.tif 000006